(57)【要約】【課題】ロックピンと該ロックピンを係止する部材との間の摩耗を低減する。【解決手段】本発明のリセット機能付スイッチにおいて、ハートカム部４６は、ロック位置Ｌからロックピン動作端が付勢する側へ延び、かつ係止中にはロックピン係止突起４２ａにより遮られているロック解除通路ＩＶを有する。ロックピン動作端の付勢力によりロックピン係止突起４２ａが移動し、ロック解除通路ＩＶを開通させることでロック状態を解除する。【選択図】図５
2013098059.tif 000002
【特許請求の範囲】
【請求項１】
第１方向への押込操作により回路の開閉動作を行うための押込部材と、
一方の端が上記押込部材に連結されたロックピンと、
ロックピンにおける上記押込部材と反対側の動作端を押込部材の移動に合わせて案内するカム溝が設けられたカム部と、
上記第１方向と反対側の第２方向へ付勢する上記動作端を係止し、ロック位置に保持する係止部と、
外部信号の入力により上記係止部と上記動作端との係止を解除する解除機構とを備え、
上記カム部は、上記ロック位置から上記動作端が付勢する側へ延び、かつ上記係止中には上記係止部により遮られているロック解除用カム溝を有し、
上記解除機構は、上記係止部を上記第２方向へ移動させて、上記ロック解除溝を開通させることで上記係止を解除することを特徴とするリセット機能付スイッチ。
【請求項２】
上記係止部を有する摺動部材と、
鉄芯及びソレノイド本体を有し、鉄芯とソレノイド本体との間の吸引力により上記摺動部材の上記係止部を上記ロック位置に固定するソレノイド部材と、
上記摺動部材が上記第２方向に移動したときに、上記動作端の付勢力よりも小さい上記復帰力を発生させる弾性部材とを備え、
上記解除機構は、上記外部信号を上記ソレノイド部材に入力させ、上記摺動部材とソレノイド部材との固定を解除することで上記係止部を上記第２方向に可動させることを特徴とする請求項１に記載のリセット機能付スイッチ。
【請求項３】
上記解除機構は、上記動作端の付勢力により上記係止部を上記第２方向へ移動させて、上記ロック解除溝を開通させることを特徴とする請求項１または２に記載のリセット機能付スイッチ。
【請求項４】
上記解除機構は、上記係止部に対し上記第１方向の復帰力を掛けて、上記係止部を上記ロック位置に戻すことを特徴とする請求項１〜３の何れか１項に記載のリセット機能付スイッチ。
【請求項５】
上記カム部には、
オン動作時の押込部材の移動に合わせて上記動作端を案内するオン動作用カム溝と、
オフ動作時の押込部材の移動に合わせて上記動作端を案内するオフ動作用カム溝とが形成されていることを特徴とする請求項１〜４の何れか１項に記載のリセット機能付スイッチ。
【発明の詳細な説明】
【技術分野】
【０００１】
本発明は、リセット機能付スイッチに関する。
【背景技術】
【０００２】
従来から、オン状態（ロック状態）を解除する自己復帰機能（リセット機能）を有するスイッチ（以下、リセット機能付スイッチ）が提案されている。リセット機能付スイッチは、例えば特許文献１に開示されている。
【０００３】
この種のスイッチは、ソレイドの吸引力により駆動カムが駆動する。そして、この駆動カムの駆動により、ロックカム係止部に係止されたロックピンが移動し、ロック状態が解除される。図９及び図１０は、特許文献１に開示されたリセット機能付スイッチの構造及びロック解除機構の構成を示す図である。
【０００４】
特許文献１に開示されたリセット機能付スイッチにおいて、スライダ部材１２１を押し込むと、ロック位置となる（図９（ａ））。この状態では、ロックピン１２７の動作端１２７ｂがロックカム係止部１３０に係止されスライダ部材１２１が押込位置でロックされる。
【０００５】
図９（ａ）の状態で、自己復帰機能（リセット機能）を動作させると、ソレノイド（不図示）が励磁されて、ソレノイドの吸引力により鉄芯（不図示）を介して駆動カム１２３がカム突起部１２６を中心にして反時計回り方向に回動する。そして、図９（ｂ）に示されるように、駆動カム１２３の先端部１２４がスライダ部材１２１のスライド方向に略沿って移動する。そして、駆動カム１２３の傾斜面１２５ａがロックピン１２７の動作端１２７ｂに当接して、傾斜面１２５ａにより動作端１２７ｂはロックカム係止部１３０から外れる方向（図９（ｂ）における下方向）に移動し、ロックが解除される。
【０００６】
このロック解除により、図１０（ａ）に示されるように、スライダ部材１２１は、復帰用ばね部材（不図示）の付勢力によって、図１０（ａ）における左方向にスライドさせられる。
【０００７】
そして、スライダ部材１２１が左方向にスライドすると、ロックピン１２７が動作端１２７ｂはハートカム部１２９により図１０（ａ）において上方向に移動する。そして、ロックピン１２７の動作端１２７ｂの移動に伴って傾斜面１２５ａを介して駆動カム１２３がカム突起部１２６を中心にして時計回りに回動する。そして、スライダ部材１２１の復帰が完了すると、図１０（ｂ）に示されるように、ロックピン１２７の動作端１２７ｂは、ハートカム部１２９により、ロック位置における位置よりもやや上方に至り、また、この状態で、ロックピン１２７の動作端１２７ｂは山形の傾斜面２５ａ，２５ｂの頂部に位置する。
【先行技術文献】
【特許文献】
【０００８】
【特許文献１】特許第３２７７９７２号公報（２００２年  ２月１５日登録）
【発明の概要】
【発明が解決しようとする課題】
【０００９】
しかしながら、特許文献１に開示されたリセット機能付スイッチには、駆動カム１２３の先端部１２４とロックピン１２７の動作端１２７ｂとが摩耗してしまうという問題がある。
【００１０】
図９に示されるように、特許文献１に開示されたリセット機能付スイッチにおいては、ロック状態において、ロックピン１２７の動作端１２７ｂは、スライダ部材１２１の押し込み方向に付勢された状態でロックカム係止部１３０に係止されている。そして、自己復帰（リセット）するために、動作端１２７ｂの付勢方向と反対方向で、かつこの付勢力よりも大きい駆動力で、駆動カム１２３の先端部１２４を動作端１２７ｂに当接させている。そして、その状態で、動作端１２７ｂが駆動カム１２３の傾斜面１２５ａに沿って移動するので、駆動カム１２３の先端部１２４とロックピン１２７の動作端１２７ｂとが摩耗してしまう。
【００１１】
その結果、特許文献１に開示されたリセット機能付スイッチは、駆動カム１２３及びロックピン１２７の耐久性が低下し、リセット機能が不良になるおそれがある。
【００１２】
本発明は、上記の問題点に鑑みてなされたものであり、その目的は、ロックピンと該ロックピンを係止する部材との間の摩耗を低減することができるリセット機能付スイッチを提供することにある。
【課題を解決するための手段】
【００１３】
本発明のリセット機能付スイッチは、上記の課題を解決するために、第１方向への押込操作により回路の開閉動作を行うための押込部材と、一方の端が上記押込部材に連結されたロックピンと、ロックピンにおける上記押込部材と反対側の動作端を押込部材の移動に合わせて案内するカム溝が設けられたカム部と、上記第１方向と反対側の第２方向へ付勢する上記動作端を係止し、ロック位置に保持する係止部と、外部信号の入力により上記係止部と上記動作端との係止を解除する解除機構とを備え、上記カム部は、上記ロック位置から上記動作端が付勢する側へ延び、かつ上記係止中には上記係止部により遮られているロック解除用カム溝を有し、上記解除機構は、上記係止部を上記第２方向へ移動させて、上記ロック解除溝を開通させることで上記係止を解除することを特徴としている。
【００１４】
第１方向への押込操作により回路の開閉動作を行うための押込部材と、一方の端が上記押込部材に連結されたロックピンと、ロックピンにおける上記押込部材と反対側の動作端を押込部材の移動に合わせて案内するカム溝が設けられたカム部と、上記第１方向と反対側の第２方向へ付勢する上記動作端を係止し、ロック位置に保持する係止部と、外部信号の入力により上記係止部と上記動作端との係止を解除する解除機構とを備えた構成としているので、このリセット機能付スイッチの構成によれば、押込部材の押込操作による回路（スイッチ回路）の開閉動作に連動して、ロックピンの動作端がカム部のカム溝を摺動するようになっている。そして、回路の閉状態を維持するロック状態においては、上記動作端は、上記第１方向と反対側の第２方向へ付勢した状態になっており、上記係止部による係止によりロック位置に保持されている。そして、外部信号が入力されると解除機構が上記係止部と上記動作端との係止を解除し、ロック状態が解除されスイッチがオフ状態にリセットされる。
【００１５】
さらに、上記カム部は、上記ロック位置から上記動作端が付勢する側へ延び、かつ上記係止中には上記係止部により遮られているロック解除用カム溝を有し、上記解除機構は、上記動作端の付勢力により上記係止部を上記第２方向へ移動させて、上記ロック解除溝を開通させることで上記係止を解除し、上記係止部に対し上記第１方向の復帰力を掛けて、上記係止部を上記ロック位置に戻す構成になっている。
【００１６】
この構成によれば、外部信号が入力されると、解除機構により、ロック状態にあった（上記係止部により係止されていた）上記動作端は、上記第２方向へ移動する。そして、これに伴い上記係止部は上記第２方向に移動しロック解除用カム溝が開通し、上記動作端は、ロック解除用カム溝を摺動することになる。さらに、ロック解除用カム溝は、上記ロック位置から上記動作端が付勢する側へ延びているので、上記動作端は、その付勢力に逆らうことなくロック解除用カム溝を摺動して、ロック状態が解除される。
【００１７】
それゆえ、上記の構成によれば、動作端の付勢方向と反対方向で、かつこの付勢力よりも大きい駆動力で（動作端の付勢力に逆らって）動作端を移動させる従来のリセット機能付スイッチと比較して、ロックピンと係止部との間の摩耗を低減することが可能になる。
【００１８】
よって、上記の構成によれば、ロックピンと該ロックピンを係止する部材との間の摩耗を低減することができるリセット機能付スイッチを提供することができる。
【００１９】
また、本発明のリセット機能付スイッチは、上記係止部を有する摺動部材と、鉄芯及びソレノイド本体を有し、鉄芯とソレノイド本体との間の吸引力により上記摺動部材の上記係止部を上記ロック位置に固定するソレノイド部材と、上記摺動部材が上記第２方向に移動したときに、上記動作端の付勢力よりも小さい上記復帰力を発生させる弾性部材とを備え、上記解除機構は、上記外部信号を上記ソレノイド部材に入力させ、上記摺動部材とソレノイド部材との固定を解除することで上記係止部を上記第２方向に可動させることが好ましい。
【００２０】
従来のリセット機能付スイッチでは、ソレノイドの吸引力により鉄芯を介して駆動カムを、カム突起部を中心にして反時計回り方向に回動させて駆動し、駆動カムの駆動機構にてこの原理を利用している。このため、スイッチが大型化するという第２の問題がある。
【００２１】
また、従来のリセット機能付スイッチでは、ロック解除するに際し、駆動カムは、ソレノイドの鉄芯及びロックピンのみにより支持されている。それゆえ、外部からの衝撃や振動が加わると簡単に駆動カムがロックピンから外れるという第３の問題がある。
【００２２】
上記の構成によれば、従来のリセット機能付スイッチにおける第２及び第３の問題を招来しない。
【００２３】
上記の構成によれば、上記係止部を有する摺動部材は、ソレノイド部材における鉄芯とソレノイド本体との間の吸引力により固定されているので、従来のリセット機能付スイッチよりもロックピンを係止する係止部材（ここでは摺動部材）が安定して固定されている。よって、上記の構成によれば、外部からの衝撃や振動が加わっても摺動部材がロックピンから外れることないリセット機能付スイッチを実現できる。
【００２４】
さらに、上記の構成によれば、上記解除機構は、上記外部信号を上記ソレノイド部材に入力させ、上記摺動部材とソレノイド部材との固定を解除することで上記係止部を上記第２方向に可動させるので、従来のリセット機能付スイッチのようなてこの原理を必要としない。よって、上記の構成によれば、小型化したリセット機能付スイッチを実現できる。
【００２５】
また、本発明のリセット機能付スイッチでは、上記解除機構は、上記動作端の付勢力により上記係止部を上記第２方向へ移動させて、上記ロック解除溝を開通させることが好ましい。
【００２６】
上記の構成によれば、上記解除機構は、上記動作端の付勢力により上記係止部を上記第２方向へ移動させて、上記ロック解除溝を開通させるので、解除機構に上記係止部を上記第２方向へ移動させる部材を設ける必要がない。それゆえ、上記の構成によれば、より簡単な構成でロック解除を実現することができる。
【００２７】
また、本発明のリセット機能付スイッチでは、上記解除機構は、上記係止部に対し上記第１方向の復帰力を掛けて、上記係止部を上記ロック位置に戻すことが好ましい。
【００２８】
上記の構成によれば、上記解除機構は、上記係止部に対し上記第１方向の復帰力を掛けて、上記係止部を上記ロック位置に戻すので、ロック状態を解除した後、速やかにロック状態に戻すことができ、動作がスムーズになるという効果がある。
【００２９】
また、本発明のリセット機能付スイッチでは、上記カム部には、オン動作時の押込部材の移動に合わせて上記動作端を案内するオン動作用カム溝と、オフ動作時の押込部材の移動に合わせて上記動作端を案内するオフ動作用カム溝とが形成されていることが好ましい。
【００３０】
本発明のリセット機能付スイッチは、上記ロック解除用カム溝とは別に、上記カム部に、オン動作時の押込部材の移動に合わせて上記動作端を案内するオン動作用カム溝と、オフ動作時の押込部材の移動に合わせて上記動作端を案内するオフ動作用カム溝とが形成されている。すなわち、本発明のリセット機能付スイッチは、いわゆる「ハートカム」を備えている。このようなハートカムを備えたスイッチにおいても本発明を適用することができる。
【発明の効果】
【００３１】
本発明のリセット機能付スイッチは、以上のように、上記カム部は、上記ロック位置から上記動作端が付勢する側へ延び、かつ上記係止中には上記係止部により遮られているロック解除用カム溝を有し、上記解除機構は、上記動作端の付勢力により上記係止部を上記第２方向へ移動させて、上記ロック解除溝を開通させることで上記係止を解除する構成である。
【００３２】
それゆえ、本発明によれば、ロックピンと該ロックピンを係止する部材との間の摩耗を低減することができるリセット機能付スイッチを提供することが可能になる。
【図面の簡単な説明】
【００３３】
【図１】（ａ）及び（ｂ）は、本発明の実施形態のスイッチ（リセット機能付スイッチ）の外観を示す斜視図である。
【図２】図１に示されたスイッチの分解斜視図である。
【図３】図１に示されたスイッチの初期状態での内部構造を示す斜視図である。
【図４】図１に示されたスイッチにおけるハートカム部近傍を拡大した斜視図である。
【図５】（ａ）及び（ｂ）は、図４に示されたハートカム部の外周溝の構成を示す上面図である。
【図６】スイッチ回路の閉動作、及びオン状態を維持するロック動作中の、ハートカム部におけるロックピン動作端の動きを示す表である。
【図７】スイッチ回路の開動作中の、ハートカム部におけるロックピン動作端の動きを示す表である。
【図８】スイッチ１のロック解除動作中の、ハートカム部におけるロックピン動作端の動きを示す表である。
【図９】特許文献１に開示されたリセット機能付スイッチの構造及びロック解除機構の構成を示す図である。
【図１０】特許文献１に開示されたリセット機能付スイッチの構造及びロック解除機構の構成を示す図である。
【発明を実施するための形態】
【００３４】
以下、本発明の実施の形態について、図面を参照して詳細に説明する。
【００３５】
（１）リセット機能付スイッチの構成
まず、本実施形態のリセット機能付スイッチの構成について説明する。図１（ａ）及び（ｂ）は、本実施形態のスイッチ（リセット機能付スイッチ）１の外観を示す斜視図である。図２は、スイッチ１の分解斜視図である。
【００３６】
スイッチ１は、いわゆるプッシュタイプのスイッチであり、ハウジング２と、ハウジング２に収容されたプランジャ部３、ソレノイド部４、及び端子スイッチング部５とを備えている。
【００３７】
プランジャ部３は、プランジャ本体（押込部材）３１と、接点バネ３２・３３とを備えている。プランジャ本体３１は、押込操作を行うための操作部３１ａを有する。また、ハウジング２には、操作部３１ａを挿入するための挿入口２ａが設けられている。また、プランジャ本体３１は、接点バネ３２・３３を取り付けるための接点バネ取付部３１ｂを有している。
【００３８】
スイッチ１においては、操作部３１ａを介して押込操作することにより、スイッチ回路の開閉を制御するようになっている。初期状態（オフ状態）において操作部３１ａの押込操作を行うと、操作部３１ａがハウジング２内部に収まりながら、スイッチ１は、スイッチ回路が閉じてオン状態になる。そして、操作部３１ａが最も押し込まれた位置を経由した後でハウジング２から突出しロック状態になる。このロック状態では、スイッチ回路がオン状態を維持しながらスイッチ１がロックされている。そして、ロック状態から再度突出した操作部３１ａを押し込むと、スイッチ１は、スイッチ回路が開いて初期状態に戻る。本実施形態のスイッチ１は、特定の外部信号を入力したときにロック状態を解除するロック解除機構（リセット機能）を備えている。スイッチ１におけるスイッチ回路の開閉制御機構およびロック解除機構については、後述する。
【００３９】
ソレノイド部４は、ソレノイドケース４１と、スライダ部材（摺動部材）４２と、復帰バネ４３と、ソレノイド部材４４と、ソレノイドカバー４５とを備えている。ソレノイド部材４４は、ソレノイドケース４１およびソレノイドカバー４５により形成された空間内に収容される。
【００４０】
そして、ソレノイド部材４４には、スライダ部材４２及び復帰バネ４３が取り付けられる。スライダ部材４２は、スライダ係合部４２ｃにてソレノイド部材４４と係合している。ソレノイド部材４４は、鉄芯４４ａとソレノイド本体４４ｂとを備えており、鉄芯４４ａがソレノイド本体４４ｂに挿入されている。また、鉄芯４４ａには凹部４４ｃが設けられている。この凹部４４ｃにスライダ係合部４２ｃが挿入される。なお図示していないがソレノイド本体４４ｂは磁性材からなるヨークと永久磁石とコイルを備えている。
【００４１】
ソレノイド部材４４にロック解除信号（外部信号）が入力されていない場合、鉄芯４４ａとソレノイド本体４４ｂとの間を互いに吸引する吸引力が働いている。そして、この吸引力により、凹部４４ｃに挿入されたスライダ係合部４２ｃが固定される。その結果、スライダ部材４２は、ソレノイド部材４４に固定される（このときの状態を吸着状態とする）。
【００４２】
ソレノイド部材４４にロック解除信号（外部信号）が入力された場合、鉄芯４４ａとソレノイド本体４４ｂとの間の吸引力が打ち消された状態になる。そして、鉄芯４４ａは、ソレノイド本体４４ｂから離脱する。このとき、スライダ部材４２は、ソレノイド部材４４に固定されていない状態になる（このときの状態を離脱状態とする）。
【００４３】
なお、鉄芯４４ａとソレノイド本体４４ｂとの間を互いに吸引する吸引力の方向は、押込操作方向と同じである。ここで、操作部３１ａを介して押込操作する方向をｚ方向とし、スライダ部材４２とソレノイド部材４４との対向方向をｘ方向とする。操作部３１ａを介して押込操作する方向及びスライダ部材４２とソレノイド部材４４との対向方向の両方に垂直な方向をｙ方向とする。
【００４４】
また、端子スイッチング部５は、ベース５１と、可動片５２・５３と、接点端子５４・５５と、共通端子５６・５７とを備えている。接点端子５４および共通端子５６は、ベース５１におけるｘ方向の一方の側部に隣接して搭載されている。接点端子５５および共通端子５７は、ベース５１におけるｘ方向の他方の側部に隣接して搭載されている。そして、接点端子５４と共通端子５７とが互いに対向し、接点端子５５と共通端子５６とが互いに対向している。また、可動片５２・５３はそれぞれ、屈曲した板状体であり、一方の端に接点５２Ａ・５３Ａが取り付けられている。また、接点端子５４・５５にはそれぞれ、接点５４Ａ・５５Ａが取り付けられている。スイッチ１においては、接点５２Ａ及び接点５４Ａ同士、並びに接点５３Ａ及び接点５５Ａ同士が離接することで、オフ状態およびオン状態の切り替えがなされる。
【００４５】
また、プランジャ部３とソレノイド部４との間には、ロックピン６が取り付けられる。ロックピン６は、丸棒の両端を互いに逆方向に直角に屈曲した形状になっている。ここで、屈曲した両端のうち一方の端をロックピン支点端６ａとし、他方の端をロックピン動作端（動作端）６ｂとする。
【００４６】
図３は、初期状態のスイッチ１の内部構造を示す斜視図である。図３において、図面の煩雑さを避けるため、可動片５３およびこれに関連する接点バネ３３の構成を省略している。また、可動片５３およびこれに関連する接点バネ３３の構成については、図示されている可動片５２およびこれに関連する接点バネ３２の構成と同一であるので、説明を省略する。
【００４７】
ここで、可動片５２の共通端子５６との接触部５２Ｃを支点とし、接点５２Ａと反対側の端を力端５２Ｂとする。図３に示されるように、可動片５２は、支点５２Ｃで共通端子５６と接触している。そして、可動片５２は、接点５２Ａが、ａ端子５４に取り付けられた接点５４Ａのｚ方向上側に位置するように配置されている。可動片５２の接点５２Ａのｚ方向上側には、プランジャ本体３１が配置されている。
【００４８】
初期状態においては、プランジャ本体３１と可動片５２の接点５２Ａとは、接点バネ３２によって互いに離間している。接点バネ３２は、ｙ方向に延びる螺旋状の金属線からなっており、この金属線の両端３２ａ・３２ｂは、互いに異なる方向に延びる直線形状になっている（図２参照）。接点バネ３２の両端３２ａ・３２ｂのうち、一方の端３２ａはプランジャ本体３１のｚ方向下側の面に係合しており、他方の端３２ｂは可動片５２の力端５２Ｂに係合している。
【００４９】
ソレノイドケース４１は、プランジャ本体３１とｘ方向で対向するように配置されている。そして、ソレノイドケース４１におけるプランジャ本体３１と対向する側の面には、ハートカム部４６が形成されている。
【００５０】
また、ロックピン６のロックピン支点端６ａは、プランジャ本体３１に形成された穴に挿入されている（不図示）。一方、ロックピン動作端６ｂは、ソレノイドケース４１に形成されたハートカム部（カム部）４６の外周溝に当接している。ロックピン６は、ロックピン支点端６ａを中心にしてロックピン動作端６ｂがスライド可能になっている。このため、ロックピン動作端６ｂは、プランジャ本体３１の操作部３１ａを介した押込操作に連動して、ハートカム部４６の外周溝をスライドするようになる。
【００５１】
図４は、スイッチ１におけるハートカム部４６近傍を拡大した斜視図である。また、図５（ａ）及び（ｂ）は、ハートカム部４６の外周溝の構成を示す上面図である。
【００５２】
図４並びに図５（ａ）及び（ｂ）に示されるように、スライダ部材４２におけるソレノイド部材４４と反対側には、ソレノイドケース４１側に突起したロックピン係止突起部４２ａが形成されている。そして、ソレノイドケース４１におけるスライダ部材４２と対向する側壁部（すなわちハートカム部４６）には、ロックピン係止突起４２ａが挿入される挿入口４６ｂが形成されている。挿入口４６ｂのｚ方向の寸法は、ロックピン係止突起部４２ａのｚ方向の寸法よりも大きくなっている。このため、スライダ部材４２が離脱状態となり、かつロックピン６によってロックピン係止突起４２ａに対しｚ方向上側の力がかかったとき、ロックピン係止突起４２ａを有するスライダ部材４２はｚ方向上側へ移動する。ｚ方向上側へ移動したスライダ部材４２は、復帰バネ４３により、スライダ部材４２に対しｚ方向下側の復帰力がかかっている。その結果、スライダ部材４２は、ｚ方向上側へ移動した後、ロックピン６がハートカム部４６に設けられているロックピン係止突起４２ａ（スライダ部材４２）から外れると共に、復帰力によりｚ方向下側へ移動し元の位置に戻ることになる。
【００５３】
また、図５（ａ）及び（ｂ）に示されるように、ハートカム部４６においては、ロックピン係止突起４２ａを取り囲むように、外周溝（カム溝）４６ｃが設けられている。この外周溝４６ｃは、プランジャ本体３１の押込操作に連動してスライドするロックピン動作端６ｂの案内溝となっている。外周溝４６ｃにおけるロックピン動作端６ｂの通路は、スイッチオン通路Ｉ、ロック通路ＩＩ、スイッチオフ通路ＩＩＩ、及びロック解除通路（ロック解除用カム溝）ＩＶとからなる。スイッチオフ通路ＩＩＩは、一部ロック解除通路ＩＶと共通する通路がある。図５（ａ）に示されるように、ロック解除通路ＩＶは、ロック状態、オフ状態、及びオン状態においては、ロックピン係止突起４２ａによって遮られている。一方、図５（ｂ）に示されるように、ロック解除状態においては、上述のようにロックピン係止突起４２ａがｚ方向上側へ移動することにより、開通する。また、ロック状態において、ロックピン動作端６ｂは、ｚ軸方向上側の力が働いており、ロックピン係止突起４２ａによって係止された状態になっている。ロック状態におけるロックピン係止突起４２ａの位置をロック位置Ｌとする。
【００５４】
（２）スイッチ１におけるスイッチ回路の開閉機構
次に、スイッチ１におけるスイッチ回路の開閉機構について、説明する。まず、図３を参照して、スイッチ回路の開閉動作中の、プランジャ本体３１及び可動片５２の動きについて説明する。
【００５５】
上述したように、初期状態（操作前）においては、プランジャ本体３１は、接点バネ３２の一方の端３２ａに係合しており、接点バネ３２の弾性力によって、ｚ方向上方へ付勢されている。一方、接点バネ３２の他方の端３２ｂは、可動片５２の力端５２Ｂを押し下げている。
【００５６】
そして、プランジャ本体３１の操作部３１ａをｚ方向下方へ押し下げると、接点バネ３２が撓むとともに、その端３２ｂが可動片５２の力端５２Ｂ上部をスライドしつつ、可動片５２を引き起こす方向（接点５２Ａがｚ方向上方へ変位する方向）に付勢する。そして、プランジャ本体３１が可動片５２の一端を押し下げる。さらに、プランジャ本体３１の操作部３１ａを押し込むことにより、接点バネ３２の端３２ｂが所定の位置を超えると、接点バネ３２の端３２ｂが可動片５２を押し倒す方向（接点５２Ａがｚ方向下方へ変位する方向）に付勢する。このため、可動片５２は、共通端子５６との接触部分を支点として瞬間的に回動し、可動片５２の接点５２Ａが接点端子５４の接点５４Ａに接触する（オン状態）。
【００５７】
次いで、プランジャ本体３１の操作部３１ａを最下位（ＴＴＰ１）まで押し込んだ後、プランジャ本体３１の押圧を解除すると、接点バネ３２の弾性力によりプランジャ本体３１がｚ方向上方へ押し上げられる。その一方で、ロックピン動作端６ｂは、ロック位置Ｌ（ロックピン係止突起４２ａ）で係止し（図６参照）、プランジャ本体３０のｚ方向上方への復帰を規制し、ロック状態になる。このため、接点バネ３２の端３２ｂが可動片５２を押し倒すように付勢続け、可動片５２の接点５２Ａが接点端子５４の接点５４Ａに接触し続ける。
【００５８】
次にロック状態からオフ状態にする場合、プランジャ本体３１の操作部３１ａを一段深くｚ方向へ押し下げることにより、ロックピン動作端６ｂがロックピン係止突起４２ａから離れる。次いで、操作部３１ａへの押圧を解除すると、接点バネ３２が可動片５２を押し倒す方向に付勢しつつ、プランジャ本体３１をｚ方向上方へ押し上げる。その結果、プランジャ本体３１が元の位置に復帰する。プランジャ本体３１が元の位置に復帰すると、接点バネ３２の端３２ｂが所定の位置から可動片５２を引き起こす方向に付勢し、可動片５２が共通端子５６との接触部分を支点として瞬間的に回動し、可動片５２の接点５２Ａが接点端子５４の接点５４Ａに乖離する（オフ状態）。
【００５９】
ロックピン６は、ロックピン支点端６ａでプランジャ本体３１に連結されているので、スイッチ回路の開閉動作中、プランジャ本体３１と連動する。ロックピン動作端６ｂは、プランジャ本体３１の押込操作に連動して、ハートカム部４６に形成された外周溝４６ｃをスライドする。
【００６０】
次に、スイッチ１におけるスイッチ回路の開閉動作に連動するロックピン動作端６ｂの動きについて、詳述する。図６は、スイッチ回路の閉動作（オフ状態からオン状態への動作）、及びオン状態をロックするロック動作（オン状態からロック状態への動作）中の、ハートカム部４６におけるロックピン動作端６ｂの動きを示す表である。また、図７は、スイッチ回路の開動作（ロック状態からオフ状態への動作）中の、ハートカム部４６におけるロックピン動作端６ｂの動きを示す表である。図６及び図７に示される表では、ロックピン動作端６ｂの動きに合わせて、プランジャ本体３１の操作部３１ａの動き、ソレノイド部材４４とスライダ部材との状態、及び外周溝４６ｃの底面（プランジャ本体側からみた奥面）の高さ変化も示している。
【００６１】
まず、スイッチ回路の閉動作及びロック動作に連動するロックピン動作端６ｂの動きについて説明する。図６中、外周溝４６ｃの位置ａ、ｂ、及びｃは、図５（ａ）及び（ｂ）に示されるスイッチオン通路Ｉにある位置である。また、位置ｄ及びｅは、ロック通路ＩＩにある位置である。図６に示されるように、操作部３１ａの押込動作によりスイッチ１がオフ状態からオン状態になる間（「スイッチ回路開」から「スイッチ回路閉」の間）、ロックピン動作端６ｂは、位置ａ、ｂ、ｃの順に通過する過程でオン状態になる。ここで、スイッチオン通路Ｉにおいて、外周溝４６ｃの底面のレベルは、位置ｃを境にｘ方向ソレノイド本体３１側にシフトしており、段差が形成されている。これにより、ロックピン動作端６ｂは、一旦位置ｃを通過しオン状態になると、位置ａ，ｂ側へ戻ることがなくなる。
【００６２】
次に、プランジャ本体３１の操作部３１ａを最下位（ＴＴＰ１）まで押し込んだ後、プランジャ本体３１の押圧を解除すると、接点バネ３２の弾性力により、ロックピン動作端６ｂは、接点バネ３２の弾性力によりｚ方向上側へ付勢される。そして、ロックピン動作端６ｂは、ロック通路ＩＩの位置ｄ、ｅを通過し、ロック位置Ｌにてロックピン係止突起４２ａによってｚ方向上側への移動が係止される。このとき、操作部３１ａは、ハウジング２から突出した状態になっている。ここで、ロック通路ＩＩにおいて、外周溝４６ｃの底面のレベルは、位置ｄを境にｘ方向ソレノイド本体３１側にシフトしており、段差が形成されている。これにより、ロックピン動作端６ｂは、一旦位置ｄを通過しロック位置Ｌで係止されると、位置ａ〜ｄ側へ戻ることがなくなる。その結果、安定なロック状態を維持できるスイッチを実現することができる。
【００６３】
なお、ソレノイド部材４４は、スイッチ回路の閉動作、及びオン状態をロックするロック動作中、吸着状態を維持している。それゆえ、スライダ部材４２のロックピン係止突起４２ａは、ロック位置Ｌに固定されている。そして、上述した鉄芯４４ａとソレノイド本体４４ｂとの間の吸引力により、ｚ方向上側へ付勢されているロックピン動作端６ｂは、ロックピン係止突起４２ａ（ロック位置Ｌ）で係止される。
【００６４】
次に、スイッチ回路の開動作に連動するロックピン動作端６ｂの動きについて説明する。図７中、外周溝４６ｃの位置ｆ、ｇ、ｈ、ｊ及びｋは、図５（ａ）及び（ｂ）に示されるスイッチオフ通路ＩＩＩにある位置である。図７に示されるように、ロック状態での操作部３１ａを一段深く押し込むと、ロックピン動作端６ｂは、位置ｅ、ｆ、ｇを通過し、一旦ｚ方向下側へ移動する。操作部３１ａは最も押し込まれた位置ＴＴＰ２にあるとき、ロックピン動作端６ｂが位置ｇにある。ロックピン動作端６ｂが位置ｅ、ｆ、ｇを通過している間、スイッチ回路はオン状態である（図７の「ＴＴＰ２（スイッチ回路閉）」）。そして、操作部３１ａへの押圧を解除すると、ロックピン動作端６ｂは、位置ｇから、接点バネ３２の弾性力によりｚ方向上側へ付勢されて、位置ｈ、ｊ、ｋを通過する。ロックピン動作端６ｂが位置ｈ、ｊ、ｋを通過する過程で、スイッチ回路がオフ状態となる。そして、そして、ロックピン動作端６ｂが位置ａに復帰する（図７の「ＦＰ（スイッチ回路開）」）。
【００６５】
ここで、スイッチオフ通路ＩＩＩにおいて、外周溝４６ｃの底面のレベルは、位置ｆを境にｘ方向ソレノイド本体３１側にシフトしており、段差が形成されている。これにより、ロックピン動作端６ｂは、一旦位置ｆを通過するとロック位置Ｌへ戻ることがなくなる。それゆえ、ロックピン動作端６ｂは、位置ｇから、接点バネ３２によるｚ方向上側の付勢力により、ロック位置Ｌへ戻ることがなくなる。その結果、安定したオフ動作を実現することができる。
【００６６】
また、スイッチオフ通路ＩＩＩにおいて、外周溝４６ｃの底面のレベルは、位置ｊを境にｘ方向ソレノイド本体３１側にシフトしており、段差が形成されている。これにより、位置ａを通過したロックピン動作端６ｂが再びスイッチオフ通路ＩＩＩに戻ることを防止することができる。
【００６７】
（３）スイッチ１におけるロック解除機構（リセット機構）
次に、スイッチ１の特徴的構成であるロック解除機構について、説明する。図８は、スイッチ１のロック解除動作中の、ハートカム部４６におけるロックピン動作端６ｂの動きを示す表である。図８に示される表では、ロックピン動作端６ｂの動きに合わせて、プランジャ本体３１の操作部３１ａの動き、ソレノイド部材４４とスライダ部材との状態、及び外周溝４６ｃの底面（プランジャ本体側からみた奥面）の高さ変化も示している。
【００６８】
図８中、外周溝４６ｃの位置ｅから位置ｈへ向かう通路が、図５（ａ）及び（ｂ）に示されるロック解除通路ＩＶに含まれる通路である。
【００６９】
図８に示されるように、ロック状態（スイッチ回路閉維持）において、ソレノイド部材４４の状態は、吸着状態となっている。それゆえ、スライダ部材４２のロックピン係止突起４２ａは、上述した鉄芯４４ａとソレノイド本体４４ｂとの間の吸引力によって、ロック位置Ｌに固定されている。一方、ロックピン動作端６ｂは、ｚ方向上側へ付勢した状態で、ロックピン係止突起４２ａによって係止されている。
【００７０】
そして、ソレノイド部材４４にロック解除信号が入力される（ｒｅｓｅｔ）と、ソレノイド部材４４に上記吸引力を打ち消す力が発生する。その結果、ソレノイド部材４４とスライダ部材との状態は、吸着状態から離脱状態になる。離脱状態では、上述した鉄芯４４ａとソレノイド本体４４ｂとの間の吸引力が働かないので、ロックピン係止突起４２ａのロック位置Ｌでの固定が解除される。それゆえ、ロックピン係止突起４２ａを有するスライダ部材４２は、接点バネ３２の弾性力によるロックピン動作端６ｂの付勢力によって、鉄芯４４ａとともにｚ方向上側へ移動する。
【００７１】
ロックピン動作端６ｂは、当該ロックピン動作端６ｂに掛かっている付勢力Ｆにより、ロックピン係止突起４２ａをｚ方向上側へ押圧し移動させるようになっている。そして、ロックピン係止突起４２ａに当接してｚ方向上側へ押し上げつつ、この押し上げにより開通したロック解除通路ＩＶ（図５（ａ）及び（ｂ）参照）を通過する。そして、位置ｈに到達する。
【００７２】
ロックピン動作端６ｂがロックピン係止突起４２ａに当接してｚ方向上側へ移動させている間、ロックピン係止突起４２ａを含むスライダ部材４２には、復帰バネ４３の弾性によりｚ方向下側へ向かう復帰力Ｇが掛かっている。復帰力Ｇは、付勢力Ｆよりも小さくなっているので、ロックピン係止突起４２ａはｚ方向上側へ移動することになる。
【００７３】
ここで、ロックピン係止突起４２ａには、ロック解除通路ＩＶを形成する側壁と同じ角度で傾斜した傾斜面４２ｂが形成されている。それゆえ、ロック状態を解除する動作がスムーズになるという効果がある。
【００７４】
この付勢力Ｆは、ロックピン動作端６ｂがロックピン係止突起４２ａに当接してスライドしている間、ロックピン係止突起４２ａに対し掛かっている。そして、ロックピン動作端６ｂがロックピン係止突起４２ａから外れた時点で、ロックピン係止突起４２ａに付勢力Ｆが掛からなくなり、ｚ方向下側へ向かう復帰力Ｇのみが掛かる。そして、この復帰力Ｇによって、スライダ部材４２のロックピン係止突起４２ａがｚ方向下側へ押し下げられ、ロック位置Ｌに戻る。そして、これに連動して、ソレノイド部材４４が吸着状態に戻る。
【００７５】
すなわち、ロックピン動作端６ｂは、当該ロックピン動作端６ｂに掛かっている付勢力Ｆにより、ロックピン動作端６ｂがロックピン係止突起４２ａをｚ方向上側へ押し上げている時点で、鉄芯４４ａとソレノイド本体４４ｂとの間の吸引力が発生している。この時点で、ソレノイド部材４４には、瞬間的にロック解除信号が入力されると、この吸引力と復帰力Ｆとの合計よりもロックピン動作端６ｂにかかる付勢力Ｆのほうが強く作用する。このため、ロックピン係止突起４２ａはｚ方向上側へ移動することになる。
【００７６】
なお、復帰バネ４３は、スライダ部材４２がｚ方向上側へ移動したときに、ｚ方向下側への復帰力を発生させるように、弾性力が設定されていればよい。復帰バネ４３は、スライダ部材４２がソレノイド部材４４に固定されているとき、スライダ部材４２をｚ方向下側に予圧しているか、あるいは予圧していない。スライダ部材４２をｚ方向下側に予圧している場合、復帰バネ４３はロックピン動作端６ｂの付勢力Ｆよりも小さい弾性力で予圧している。
【００７７】
このようにスイッチ１は、第１方向（ｚ方向下側）への押込操作によりスイッチ回路の開閉動作を行うためのプランジャ本体３１と、一方のロックピン支点端６ａがプランジャ本体３１に連結されたロックピン６と、ロックピン６におけるプランジャ本体３１と反対側のロックピン動作端６ｂをプランジャ本体３１の移動に合わせて案内する外周溝４６ｃが設けられたハートカム部４６と、第１方向（ｚ方向下側）と反対側の第２方向（ｚ方向上側）へ付勢するロックピン動作端６ｂを係止し、ロック位置Ｌに保持するロックピン係止突起４２ａと、外部信号の入力によりロックピン係止突起４２ａとロックピン動作端６ｂとの係止を解除するロックピン解除機構とを備えた構成である。
【００７８】
そして、ハートカム部４６は、ロック位置Ｌからロックピン動作端６ｂが付勢する側へ延び、かつ係止中にはロックピン係止突起４２ａにより遮られているロック解除用通路ＩＶを有し、ロックピン解除機構は、ロックピン係止突起４２ａをｚ方向上側へ移動させて、ロック解除用通路ＩＶを開通させることで係止を解除する。
【００７９】
この構成によれば、外部信号が入力されると、ロック解除機構により、ロック状態にあった（ロックピン係止突起４２ａにより係止されていた）ロックピン動作端６ｂは、ｚ方向上側に移動する。そして、これに伴いロックピン係止突起４２ａはｚ方向上側に移動しロック解除用通路ＩＶが開通し、ロックピン動作端６ｂは、ロック解除用通路ＩＶを摺動（スライド）することになる。さらに、ロック解除用通路ＩＶは、ロック位置Ｌからロックピン動作端６ｂが付勢する側へ延びているので、ロックピン動作端６ｂは、その付勢力に逆らうことなくロック解除用通路ＩＶを摺動して、ロック状態が解除される。
【００８０】
それゆえ、スイッチ１の構成によれば、ロックピン動作端６ｂの付勢方向と反対方向で、かつこの付勢力よりも大きい駆動力で（ロックピン動作端６ｂの付勢力に逆らって）ロックピン動作端６ｂを移動させる従来のリセット機能付スイッチと比較して、ロックピン６とロックピン係止突起４２ａとの間の摩耗を低減することが可能になる。
【００８１】
よって、ロックピン６とロックピン６を係止するロックピン係止突起４２ａとの間の摩耗を低減することができるリセット機能付スイッチを提供することができる。
【００８２】
また、スイッチ１は、ロックピン係止突起４２ａを有するスライダ部材４２と、鉄芯４４ａ及びソレノイド本体４４ｂを有し、鉄芯４４ａとソレノイド本体４４ｂとの間の吸引力によりスライダ部材４２のロックピン係止突起４２ａをロック位置Ｌに固定するソレノイド部材４４と、スライダ部材４２がｚ方向上側に移動したときに、ロックピン動作端６ｂの付勢力よりも小さい復帰力を発生させる復帰バネ４３とを備えている。そして、ロックピン解除機構は、ロック解除信号をソレノイド部材４４に入力させ、スライダ部材４２とソレノイド部材４４との固定を解除することでロックピン係止突起４２ａをｚ方向上方に可動させる構成である。
【００８３】
従来のリセット機能付スイッチでは、ソレノイドの吸引力により鉄芯を介して駆動カムを、カム突起部を中心にして反時計回り方向に回動させて駆動し、駆動カムの駆動機構にてこの原理を利用している。このため、スイッチが大型化するという第２の問題がある。
【００８４】
また、従来のリセット機能付スイッチでは、ロック解除するに際し、駆動カムは、ソレノイドの鉄芯及びロックピンのみにより支持されている。それゆえ、外部からの衝撃や振動が加わると簡単に駆動カムがロックピンから外れるという第３の問題がある。
【００８５】
スイッチ１の構成によれば、従来のリセット機能付スイッチにおける第２及び第３の問題を招来しない。
【００８６】
スイッチ１では、ロックピン係止突起４２ａを有するスライダ部材４２は、ソレノイド部材４４における鉄芯４４ａとソレノイド本体４４ｂとの間の吸引力により固定されているので、従来のリセット機能付スイッチよりもロックピンを係止する係止部材（ここではスライダ部材４４）が安定して固定されている。よって、外部からの衝撃や振動が加わっても摺動部材がロックピンから外れることないリセット機能付スイッチを実現できる。
【００８７】
さらに、ロックピン解除機構は、ロック解除信号をソレノイド部材４４に入力させ、スライダ部材４２とソレノイド部材４４との固定を解除することでロックピン係止突起４２ａをｚ方向上方に可動させる。このため、従来のリセット機能付スイッチのようなてこの原理を必要としない。よって、小型化したリセット機能付スイッチを実現できる。
【００８８】
また、スイッチ１におけるロックピン解除機構は、ロックピン動作端６ｂの付勢力によりロックピン係止突起４２ａをｚ方向上側へ移動させて、ロック解除用通路ＩＶを開通させる。
【００８９】
この構成によれば、ロックピン解除機構にロックピン係止突起４２ａをｚ方向上側へ移動させる部材を設ける必要がない。このため、より簡単な構成でロック解除を実現することができる。
【００９０】
また、スイッチ１におけるロックピン解除機構は、ロックピン係止突起４２ａに対しｚ方向下側への復帰力を掛けて、ロックピン係止突起４２ａをロック位置Ｌに戻す構成となっている。
【００９１】
この構成によれば、ロックピン解除機構は、ロックピン係止突起４２ａに対しｚ方向下側への復帰力を掛けて、ロックピン係止突起４２ａをロック位置Ｌに戻すので、ロック状態を解除した後、速やかにロック状態に戻すことができ、動作がスムーズになるという効果がある。
【００９２】
本発明は上述した実施形態に限定されるものではなく、請求項に示した範囲で種々の変更が可能であり、上記実施形態に開示された技術的手段それぞれを適宜組み合わせて得られる実施形態についても本発明の技術的範囲に含まれる。
【産業上の利用可能性】
【００９３】
本発明は、洗濯機や食器洗浄器等といった、外部信号によって電源スイッチをオフにすることが可能な電化製品に利用することができる。
【符号の説明】
【００９４】
１    スイッチ（リセット機能付スイッチ）
２    ハウジング
３    プランジャ部
３１    プランジャ本体（押込部材）
３２    接点バネ
３３    接点バネ
４    ソレノイド部
４１    ソレノイドケース
４２    スライダ部材（摺動部材）
４２ａ  ロックピン係止突起（係止部）
４３    復帰バネ
４４    ソレノイド部材
４４ａ  鉄芯
４４ｂ  ソレノイド本体
４５    ソレノイドカバー
４６    ハートカム部（カム部）
４６ｂ  挿入口
４６ｃ  外周溝（カム溝）
５    端子スイッチング部
５１    ベース
５２    可動片
５２Ａ  接点
５２Ｂ  力端
５２Ｃ  接触部
５３    可動片
５４    接点端子
５４Ａ  接点
５５    接点端子
５６    共通端子
５７    共通端子
６    ロックピン
６ａ    ロックピン支点端
６ｂ    ロックピン動作端（動作端）
ＩＶ    ロック解除通路（ロック解除用カム溝）
【図１】
2013098059.tif 000003
【図２】
2013098059.tif 000004
【図３】
2013098059.tif 000005
【図４】
2013098059.tif 000006
【図５】
2013098059.tif 000007
【図６】
2013098059.tif 000008
【図７】
2013098059.tif 000009
【図８】
2013098059.tif 000010
【図９】
2013098059.tif 000011
【図１０】
2013098059.tif 000012